(57)【要約】      （修正有）【課題】丸編みで編み立てられるカットボスを用いた筒状編地を、カットボスの境界領域での表糸の綻びによる離脱・分離を防止して筒状編地の形態を維持すると共に、筒状編地の各種機能を保持することができる筒状編地の編成構造を提供する。【解決手段】膝関節サポータとして形成される丸編みで編み立てられる筒状編地１００からなる編成構造であり、人体の膝関節部位及びこの関節間に被着されるベース生地部１と、このベース生地部１の筒状両端の上下部位に配設され、このべース生地部１よりも周方向（タンジェンシャル方向）Ｔに強い収縮力を有する編地からなる第１及び第２のアンカー部２，３と、この第１及び第２のアンカー部２，３の双方に接続され、前記ベース生地部１よりも周方向（タンジェンシャル方向）Ｔ及び長手方向Ｌに強い収縮力を有する編地からなるサポート部４とを備える。【選択図】図１
0003221672.tif 000002
【実用新案登録請求の範囲】
【請求項１】
丸編で編み立てられる筒状編地からなり、人体の関節部位及び／又は当該関節間に被着されるベース生地部と、当該ベース生地部の筒状両端部位に配設され、当該ベース生地部よりも周方向に強い収縮力を有する編地からなる各アンカー部と、当該各アンカー部の少なくとも一方に接続され、前記ベース生地部よりも周方向及び／又は長手方向に強い収縮力を有する編地からなるサポート部とを備え、
前記筒状編地を裏糸と複数本の表糸で編成し、
前記複数本の表糸のうち少なくとも一本の表糸を筒状編地の前記ベース生地部、アンカー部及びサポート部に各々共通して共通糸として編成し、
前記複数本の表糸のうち、共通糸を除く残りの表糸を挿入糸として前記サポート部にカットボスで編成することを
特徴とする筒状編地の編成構造。
【請求項２】
前記請求項１に記載の筒状編地の編成構造において、
前記挿入糸が共通糸の伸縮性よりも大きな伸縮性を有することを
特徴とする筒状編地の編成構造。
【請求項３】
前記請求項１又は２に記載の筒状編地の編成構造において、
前記挿入糸をアンカー部に共通糸と共に編成することを
特徴とする筒状編地の編成構造。
【請求項４】
前記請求項１ないし３のいずれかに記載の筒状編地の編成構造において、
前記表糸の断面形状における最外周に対応する直径の曲率が、前記共通糸の曲率より挿入糸の曲率が大きな断面形状を有することを
特徴とする筒状編地の編成構造。
【請求項５】
前記請求項１ないし４のいずれかに記載の筒状編地の編成構造において、
前記挿入糸が、扁平断面形状、凸四角断面形状、凹四角断面形状、凸三角断面形状、凹三角断面形状の少なくともいずれかで形成されることを
特徴とする筒状編地の編成構造。
【請求項６】
丸編で編み立てられる筒状編地からなり、人体の関節部位及び／又は当該関節間に被着されるベース生地部と、当該ベース生地部の筒状両端部位に配設され、当該ベース生地部よりも周方向に強い収縮力を有する編地からなる各アンカー部と、当該各アンカー部の少なくとも一方に接続され、前記ベース生地部よりも周方向及び／又は長手方向に強い収縮力を有する編地からなるサポート部とを備え、
前記サポート部を含む筒状編地がカットボスにて編成され、当該サポート部のコース方向端部とベース生地部とのコース方向端部とが、サポート部の表糸における編成単位当りの最大伸長の長さより大きい編成長さで形成されることを
特徴とする筒状編地の編成構造。
【請求項７】
前記請求項６に記載の筒状編地の編成構造において、
前記挿入糸が共通糸の伸縮性よりも大きな伸縮性を有することを
特徴とする筒状編地の編成構造。
【請求項８】
前記請求項６または７のいずれかに記載の筒状編地の編成構造において、
前記表糸の断面形状における最外周に対応する直径の曲率が、前記共通糸の曲率より挿入糸の曲率が大きな断面形状を有することを
特徴とする筒状編地の編成構造。
【請求項９】
前記請求項６ないし８のいずれかに記載の筒状編地の編成構造において、
前記挿入糸が、扁平断面形状、凸四角断面形状、凹四角断面形状、凸三角断面形状、凹三角断面形状の少なくともいずれかで形成されることを
特徴とする筒状編地の編成構造。
【考案の詳細な説明】
【技術分野】
【０００１】
本考案は、人体の関節部位及び／又はこの関節部位間に被着される被服に用いられる筒状編地の編成構造に関し、特に被着部位をサポート、テーピング若しくは着圧（コンプレッション）の機能を有する筒状編地の編成構造に関するものである。
【背景技術】
【０００２】
従来、この種の筒状編地の編成構造としては、縫製による筒状生地、緯編若しくは経編による筒状編地があり、特に緯編の丸編による筒状編地が多様な編構造を簡易に製造できる特性を有することが知られている。
【０００３】
前記丸編による筒状編地において、編地の特定部分を部分的に異なる編地特性、例えばサポート特性、テーピング特性、着圧特性を形成するために、カットボスによる筒状編地を編成する構造が採用されていた。このカットボスによる筒状編地は、表糸を特性、例えば伸縮性、強靭性、柔軟性等を異なる糸を異ならせて筒状編地の特定部位を編成することにより、各種特有な編地特性を発揮させるものがあった。
【０００４】
前記カットボスの筒状編地により形成された各種サポータとして、特許文献１ないし５に開示される先行技術文献がある。
【先行技術文献】
【特許文献】
【０００５】
【特許文献１】国際公開番号ＷＯ２０１１／０９０１９４
【特許文献２】国際公開番号ＷＯ２０１１／０９１０８０
【特許文献３】国際公開番号ＷＯ２０１１／０５１２１９
【特許文献４】国際公開番号ＷＯ２０１１／０５１２２１
【特許文献５】国際公開番号ＷＯ２０１１／０９０１９２
【考案の概要】
【考案が解決しようとする課題】
【０００６】
従来の筒状編地の編成構造は、筒状編地の全周に連続する裏糸に対して、異なる特性を有する複数の表糸を部位（例えば、サポート部位、テーピング部位、着圧部位等）毎に割当てて編成し、この割当て境界領域に前記複数の表糸を相互にウェル方向に重複して編成すると共に、これらの表糸の端部を切断するカットボスの編成を採っていたことから、前記重複する端部の各表糸が離脱・分離し易く、筒状編地の形態を維持できないという課題を有していた。
【０００７】
特に、サポータ等の編地自体に大きな応力が付加される機能性の衣服においては、カットボスの編地とベース生地の境界領域で各表糸端部が綻びて編地に亀裂が生じるという課題が生じていた。
【０００８】
また、前記従来の筒状編地の編成構造では、複数の表糸が異なる特性、特に糸の伸縮性が異なる場合には、伸縮性の強い表糸の糸端が編地表面側に突び出ることとなり、筒状編地を用いた商品の価値を大きく損なうという課題を有していた。
【０００９】
さらに、前記従来の筒状編地の編成構造では、複数の表糸のうちいずれかの表糸に強靭性、柔軟性、平滑性若しくは光沢性の優れた糸を用いた場合にも、前記伸縮性の糸を用いた場合と同様な課題を有し、筒状編地自体に強靭性、柔軟性、平滑性、光沢性を付与することができないという課題を有していた。
【００１０】
本考案は、前記各課題を解決するためになされたもので、丸編みで編み立てられるカットボスを用いた筒状編地を、カットボスの境界領域での表糸の綻びによる離脱・分離を防止して筒状編地の形態を維持すると共に、筒状編地の各種機能を保持することができる筒状編地の編成構造を提案することを目的とする。
【課題を解決するための手段】
【００１１】
本考案に係る筒状編地の編成構造は、丸編で編み立てられる筒状編地からなり、人体の関節部位及び／又は当該関節間に被着されるベース生地部と、当該ベース生地部の筒状両端部位に配設され、当該ベース生地部よりも周方向に強い収縮力を有する編地からなる各アンカー部と、当該各アンカー部の少なくとも一方に接続され、前記ベース生地部よりも周方向及び／又は長手方向に強い収縮力を有する編地からなるサポート部とを備え、前記筒状編地を裏糸と複数本の表糸で編成し、前記複数本の表糸のうち少なくとも一本の表糸を筒状編地の前記ベース生地部、アンカー部及びサポート部に各々共通して共通糸として編成し、前記複数本の表糸のうち、共通糸を除く残りの表糸を挿入糸そして前記サポート部にカットボスで編成するものである。
【００１２】
このように本考案においては、筒状編地を裏糸と複数本の表糸で編成し、前記複数本の表糸のうち少なくとも一本の表糸を筒状編地の前記ベース生地部、アンカー部及びサポート部に各々共通して共通糸として編成し、前記複数本の表糸のうち、共通糸を除く残りの表糸を挿入糸そして前記サポート部にカットボスで編成することから、裏糸と共に表糸のうち少なくとも一本の共通糸が筒状編地の全周を周回するように編成され、表糸のうち残りの挿入糸のみがカットボスでサポート部に編成されることとなり、カットボスで編成される挿入糸が共通糸から離脱・分離することなく、筒状編地の形態を確実に保持できる効果を奏する。
【００１３】
本考案に係る筒状編地の編成構造は必要に応じて、筒状編地の編成構造において、前記挿入糸が共通糸の伸縮性よりも大きな伸縮性を有するものである。
【００１４】
このように本考案においては、前記挿入糸が共通糸の伸縮性よりも大きな伸縮性を有することから、大きな伸縮性の挿入糸からなる表糸でサポート部が編成されることとなり、サポート部に強い収縮力を生じさせる筒状編地を形成できる効果を有する。
【００１５】
本考案に係る筒状編地の編成構造は必要に応じて、筒状編地の編成構造において、前記挿入糸をアンカー部に共通糸と共に編成するものである。
このように本考案においては、アンカー部にサポート部と同様に挿入糸を共通糸と共に編成するように編成していることから、サポート部と共にアンカー部にも挿入糸の表糸を共通糸の表糸と併せて編成できることとなり、サポート部と同様にアンカー部にも共通糸の有する特有な特性を付与することができるという効果を有する。
【００１６】
本考案に係る筒状編地の編成構造は必要に応じて、筒状編地の編成構造において、前記表糸の断面形状における最外周に対応する直径の曲率が、前記共通糸の曲率より挿入糸の曲率が大きな断面形状を有するものである。
【００１７】
このように本考案において、筒状編地の編成構造において、前記表糸の断面形状における最外周に対応する直径の曲率が、前記共通糸の曲率より挿入糸の曲率が大きな断面形状を有するものであることから、筒状編地の表面が曲率の大きな断面形状からなる表糸で編成されることとなり、筒状編地表面を平滑化できる効果を有すると共に、挿入糸を明度の高い糸で構成した場合には光沢性を際立たせた表面にできるという効果を有する。
【００１８】
このように筒状編地表面を平滑化できることから、筒状編地をサポータ等の衣服の下側に被着する場合には、衣服とサポータとの接触抵抗を少なくできることとなり、サポータ表面に衣服が纏わり付くことも防止できる。さらに、筒状編地表面に見る方向により光沢性をもたせることにより、衣服・機能性の被覆等に用いられた場合に、意匠的効果を向上できるという別異な効果を生じさせることができる。
【００１９】
本考案に係る筒状編地の編成構造は必要に応じて、筒状編地の編成構造において、前記挿入糸が、扁平断面形状、凸四角断面形状、凹四角断面形状、凸三角断面形状、凹三角断面形状の少なくともいずれかで形成されるものである。
【００２０】
このように本考案においては、筒状編地の編成構造において、前記挿入糸が、扁平断面形状、凸四角断面形状、凹四角断面形状、凸三角断面形状、凹三角断面形状の少なくともいずれかで形成されることから、挿入糸の表面形状における特定面を曲率のより大きく形成できることとなり、筒状編地の表面を平滑且つ光沢の各特性を備えるものにできる効果を有する。
【００２１】
このように筒状編地表面を平滑化できることから、筒状編地をサポータ等の衣服の下側に被着する場合には、衣服とサポータとの接触抵抗を少なくできることとなり、サポータ表面に衣服が纏わり付くことも防止できる。さらに、筒状編地表面に見る方向により光沢性をもたせることにより、衣服・機能性の被覆等に用いられた場合に、意匠的効果を向上できるという別異な効果を生じさせることができる。
【００２２】
本考案に係る筒状編地の編成構造は、丸編で編み立てられる筒状編地からなり、人体の関節部位及び／又は当該関節間に被着されるベース生地部と、当該ベース生地部の筒状両端部位に配設され、当該ベース生地部よりも周方向に強い収縮力を有する編地からなる各アンカー部と、当該各アンカー部の少なくとも一方に接続され、前記ベース生地部よりも周方向及び／又は長手方向に強い収縮力を有する編地からなるサポート部とを備え、前記サポート部を含む筒状編地がカットボスにて編成され、当該サポート部のコース方向端部とベース生地部とのコース方向端部とが、サポート部の表糸における編成単位当りの最大伸長の長さより大きい編成長さで形成されるものである。
【００２３】
このように本考案においては、前記サポート部を含む筒状編地がカットボスにて編成され、当該サポート部のコース方向端部とベース生地部とのコース方向端部とが、サポート部の表糸における編成単位当りの最大伸長の長さより大きい編成長さで形成されることから、サポート部及びベース生地部の各表糸の重複部分における編成長さが各表糸の編成単位当りの最大伸長を許容できることから、サポート部とベース生地部との各カットボスされる表糸が離脱・分離することなく、筒状編地の形態を確実且つ強固に保持できる効果を奏する。
【図面の簡単な説明】
【００２４】
【図１】（ａ）は本考案の第１の実施形態に係る筒状編地の編成構造を膝関節サポータに適用した場合の平面図、及び同図（ｂ）はその背面図である。
【図２】前記図１におけるＡ−Ａ部分における編成構成図である。
【図３】（ａ）は本考案の第１の実施形態に係る筒状編地の編成構造の表糸に用いられる挿入糸の拡大図、及び同図（ｂ）は当該挿入糸の拡大断面図である。
【図４】（ａ）は本考案の第１の実施形態に係る筒状編地の編成構造の表糸に用いられる他の挿入糸の拡大図及び同図（ｂ）、（ｃ）は当該挿入糸の各拡大断面図である。
【図５】（ａ）は本考案の第２の実施形態に係る筒状編地の編成構造を膝関節サポータに適用した場合の平面図、及び同図（ｂ）はその背面図である。
【図６】前記図６におけるＣ−Ｃ部分における編成構成ずである。
【図７】前記字７におけるＤ部分の拡大編成構成図である。
【考案を実施するための形態】
【００２５】
（本考案の第１の実施形態）
以下、本考案の第１の実施形態に係る筒状編地の編成構造を図１ないし図５に基づいて説明する。本実施形態に係る筒状編地の編成構造は筒状編地を膝関節サポータに適用した場合を例に挙げて説明する。
【００２６】
前記各図において本実施形態に係る筒状編地の編成構造は、膝関節サポータとして形成される丸編みで編み立てられる筒状編地１００からなり、人体の膝関節部位及びこの関節間に被着されるベース生地部１と、このベース生地部１の筒状両端の上下部位に配設され、このべース生地部１よりも周方向（タンジェンシャル方向）Ｔに強い収縮力を有する編地からなる第１及び第２のアンカー部２，３と、この第１及び第２のアンカー部２，３の双方に接続され、前記ベース生地部１よりも周方向（タンジェンシャル方向）Ｔ及び長手方向Ｌに強い収縮力を有する編地からなるサポート部４とを備え、前記筒状編地１００を裏糸と二本の表糸１０とで編成し、この二本の表糸１０のうちの一本の表糸１０を筒状編地１００の前記ベース生地部１、第１及び第２のアンカー部２，３及びサポート部４に各々共通して共通糸１１として編成し、前記二本の表糸１０のうちの他の表糸１０を挿入糸１２そして前記サポート部４にカットボスで編成して構成される。
【００２７】
なお、前記裏糸は、前記ベース生地部１、第２のアンカー部２，３及びサポート部４に共通して筒状編地１００全体で編成されるものであり、また前記表糸１０と同じ編み構成で編成されるため、前記各図において図示を省略する。
【００２８】
前記筒状編地１００のうちベース生地部１は、図２に示すように一本の表糸１０と一本の裏糸をリブ編みにより編成し、被着者の膝関節部位に位置決めし、第２のアンカー部２，３及びサポート部４を一体的な形態として保持している。
【００２９】
前記第２のアンカー部２，３は、二本の表糸１０と一本の裏糸を鹿の子編みで編成し、この編成された鹿の子編地が前記ベース生地部１のリブ編地より筒状編地１００の周方向（タンジェンシャル方向）Ｔにおける収縮力を大きく形成される構成である。
【００３０】
前記サポート部４は、図２に示すように、二本の表糸１０と一本の裏糸をタック編みで編成し、このタック編みがコース方向Ｃに２コース分を２回タックし、且つウェール方向Ｗに１ウェール分を順次シフトする２−１タック編の編組織で編成され、前記二本の表糸１０のうちの一本を前記ベース生地部１の表糸１０と同じ糸からなる共通糸１１とし、他の表糸１０を前記共通糸１１より収縮力が大きな挿入糸１２として両端を切断するカットボスで編成される構成である。
【００３１】
前記サポート部４の挿入糸１２は、図３に示すように繊維の断面が略三角形状で三辺が凹状の大な円弧で形成される繊維（「凹三角形断面形状繊維」という。）を複数撚り合わせて形成される糸組織で構成される。なお、前記アンカー部２，３の表糸１０を構成する二本のうちの一本は、サポート部４の挿入糸１２と同様に共通糸１１より強い収縮力を有する図３に記載の凹三角形断面形状繊維からなる糸で構成することもでき、また、ベース生地１の共通糸１１と同じ収縮力を有する表糸１０で構成することもできる。
【００３２】
前記サポート部４は、２−１タック編の編組織とされ、ベース生地１の共通糸１１と同じ表糸１０とし、且つこの共通糸１１に加えてより収縮力の大きな挿入糸１２で編成されることから、ベース生地１のリブ編地より筒状編地１００の周方向（タンジェンシャル方向）Ｔ及び長手方向Ｌに大きな収縮力、緊締力且つ着圧力を被着者の膝関節、特に膝蓋骨回りに生じさせることができる。
【００３３】
このサポート部４は略Ｕ字状に形成され、このＵ字状の上二点が第１のアンカー部２に接続（又は近接）されると共に、Ｕ字状の下端部一点が第２のアンカー部３に接続（又は近接）されるように編成されることから、被着者の膝蓋骨を中心として左・右両側及び下方側から支持し、被着者の膝関節の屈伸動作を安定させることができることとなる。
【００３４】
特に、サポート部４は、二本の表糸１０のうちの一本を前記ベース生地部１の表糸１０と同じ糸からなる共通糸１１とし、他の表糸１０を前記共通糸１１より収縮力が大きな挿入糸１２として両端を切断するカットボスで編成されることから、膝部のサポータとして被着者が屈伸運動を行う毎に表糸１０の周方向（タンジェンシャル方向）Ｔ及び長手方向Ｌに大きな応力が加えられた場合にも、ベース生地１の共通糸１１から挿入糸１２（共通糸１１も）が離脱・分離することなく、筒状編地としてのサポータの形態を確実に保持してサポート機能を維持できることとなる。
【００３５】
また、サポート部４は、表糸１０としてカットボスにより挿入される挿入糸１２が凹三角形断面形状繊維を複数撚り合わせた組織からなる表糸１０で構成されていることから、筒状編地表面を平滑化して上着の衣服とサポータ表面との接触抵抗を極力小さくできることとなり、サポータ表面に上着（ズボン、スカート等）が纏わり付くことを防止できることとなる。
【００３６】
さらに、サポート部４の挿入糸１２は、凹三角形断面形状繊維を複数撚り合わせた組織からなる表糸１０で構成されていることから、共通糸１１の曲率より大きな断面形状を有することから、見る方向により光沢性を帯びさせることができることとなり、機能性を有するサポータとしての動的機能及び意匠的効果を向上させることができる。
【００３７】
なお、本実施形態に係る筒状編地の編成構造のサポート部４に用いられる挿入糸１２を凹三角形断面形状繊維を複数本撚り合わせて形成する構成としたが、この構成以外に図５に示すような繊維を複数本撚り合わせる構成とすることもできる。
【００３８】
前記図４において他の形状の挿入糸１２は、同図（ａ）に示すように表糸１０の表面を幅広い形状の繊維面を配列できることとなり、同図（ｂ）に示すようにその断面形状を扁平断面形状の構成により表裏面の二面で曲率及び面積を最大限に大きくできることとなり、また、同図（ｃ）に示すようにその断面形状を略四角形の凸四角断面形状の構成により四面で曲率を大きく形成される。
【００３９】
このように他の形状を有する本実施形態に係る筒状編地の編成構造のサポート部４は、前記凹三角形形状断面形状繊維の場合と同様に、筒状編地表面を平滑化して上着の衣服とサポータ表面との接触抵抗を極力小さくできることとなり、サポータ表面に上着（ズボン、スカート等）が纏わり付くことを防止できることとなる。
【００４０】
また、同図（ｂ）、（ｃ）に係るサポート部４は、共通糸１１の曲率より大きな断面形状を有することから、見る方向により光沢性を帯びさせることができることとなり、機能性を有するサポータとしての動的機能及び意匠的効果を向上させることができる。
【００４１】
（本考案の第２の実施形態）
本考案の第２の実施形態に係る筒状編地の編成構造を図５ないし図７に基づいて説明する。本実施形態に係る筒状編地の編成構造は、前記第１の実施形態の場合と同様に筒状編地を膝関節サポータに適用して説明する。
【００４２】
前記各図において本実施形態に係る筒状編地の編成構造は、膝関節サポータとして形成される丸編みで編み立てられる筒状編地１００からなり、人体の膝関節部位及びこの関節間に被着されるベース生地部１と、このベース生地部１の筒状両端の上下部位に配設され、このベース生地部１よりも周方向に強い収縮力を有する編地からなる第１及び第２のアンカー部２，３と、この第１及び第２の各アンカー部２，３の双方に接続され、前記ベース生地部１よりも周方向（タンジェンシャル方向）Ｔ及び長手方向Ｌに強い収縮力を有する編地からなるサポート部４とを備え、前記ベース生地部１及びサポート部４の筒状編地１００における境界領域５がカットボスにて編成され、このサポート部４のコース方向端部１４ｃとベース生地部１とのコース方向端部１３ｃとからなる境界領域５が、サポート部４の表糸１４における編成単位当りの最大伸長の長さより大きい編成長さで形成される構成である。
【００４３】
前記各図におけるベース生地部１、第２のアンカー部２，３及びサポート部４の各編み組織は、表糸の一本に関しては前記図１または図２を示す第１の実施形態の場合と同様に表糸のみの編み構成で表示し、裏糸の編み構成について図示を省略して示す。
【００４４】
前記ベース生地部１及びサポート部４は、各々個別の表糸１３，１４で編成され、前記第１の実施形態に係る表糸１０で連続して編成される共通糸１１を有さない構成である。このベース生地部１及びサポート部４の筒状編地１００における境界は、ベース生地部１の表糸１３とサポート部４の表糸１４との各端部を切断するカットボスの編成で境界領域５が形成される。
【００４５】
前記境界領域５は、サポート部４の表糸１４における編成の最小単位（１つの編み目分）当りの最大伸長の長さより大きな編成長さで形成され、編成長さが前記表糸１４の伸長率とベース生地部１の表糸１３の伸長率との差異を有する場合に複数編み目（ニッティング）、例えば２〜３編み（ニッティング）分に相当する長さにより決定される構成である。
【００４６】
前記表糸１４は、ベース生地部１の表糸１３より強い捲縮力を付与して形成した場合にはこの捲縮力に対応する収縮力、緊締力若しくは着圧力を発揮させるために境界領域５に大きな応力を加わることとなる。この境界領域５は、前記表糸１４に生じる応力を複数の編み目で分散して吸収し、ベース生地部１の共通糸１３とサポート部４の表糸１４との離脱・分離を抑制して各表糸端部の綻びや編地の亀裂を確実に防止できることとなる。
【００４７】
特に、表糸１４と繊維断面の曲率が大きな繊維を撚り合わせた表糸を用いた場合には、糸自体の剛性が強くない伸縮性が小さい糸で編成された筒状編地であっても、ベース生地部１とサポート部４との境界部分で綻びや亀裂を境界領域５が防止して、大きな曲率の繊維の表糸により編地表面に平滑性及び光沢性を持たせることができる。
【００４８】
前記編地表面の平滑化は、前記第１の実施形態で開示される扁平断面形状、凸四角断面形状、凹四角断面形状、凸三角断面形状、凹三角断面形状等の協立が大きな繊維で構成することもできる。
【００４９】
（本考案の他の実施形態）
本考案の他の実施形態に係る筒状編地の編成構造は、前記第１及び第２の各実施形態においては膝関節サポータを例に挙げて説明したが、膝関節以外の人間の関節部位若しくは関節間に装着される各種のサポータ、例えば、手首サポータ、肘サポータ、足首サポータ、肩サポータ等についても適用することができる。
【符号の説明】
【００５０】
１  ベース生地部
２  第１のアンカー部
３  第２のアンカー部
４  サポート部
５  境界領域
１０  表糸
１１  共通糸
１２  挿入糸
１３  表糸
１４  表糸
１００  筒状編地
【図１】
0003221672.tif 000003
【図２】
0003221672.tif 000004
【図３】
0003221672.tif 000005
【図４】
0003221672.tif 000006
【図５】
0003221672.tif 000007
【図６】
0003221672.tif 000008
【図７】
0003221672.tif 000009
【手続補正書】
【提出日】平成31年4月3日(2019.4.3)
【手続補正１】
【補正対象書類名】実用新案登録請求の範囲
【補正対象項目名】請求項７
【補正方法】変更
【補正の内容】
【請求項７】
前記請求項６に記載の筒状編地の編成構造において、  前記サポート部の筒状編地におけるカットボスを編成する挿入糸が前記ベース生地部を編成する共通糸の伸縮性よりも大きな伸縮性を有することを  特徴とする筒状編地の編成構造。
【手続補正２】
【補正対象書類名】実用新案登録請求の範囲
【補正対象項目名】請求項８
【補正方法】変更
【補正の内容】
【請求項８】
前記請求項６または７のいずれかに記載の筒状編地の編成構造において、  前記表糸の断面形状における最外周に対応する直径の曲率が、前記ベース生地部を編成する共通糸の曲率より前記サポート部の筒状編地におけるカットボスを編成する挿入糸の曲率が大きな断面形状を有することを  特徴とする筒状編地の編成構造。
【手続補正３】
【補正対象書類名】実用新案登録請求の範囲
【補正対象項目名】請求項９
【補正方法】変更
【補正の内容】
【請求項９】
前記請求項６ないし８のいずれかに記載の筒状編地の編成構造において、  前記サポート部の筒状編地におけるカットボスを編成する挿入糸が、扁平断面形状、凸四角断面形状、凹四角断面形状、凸三角断面形状、凹三角断面形状の少なくともいずれかで形成されることを  特徴とする筒状編地の編成構造。